(57)【特許請求の範囲】
【請求項１】
基材の被化粧面を溝により複数区画に分け、該複数区画ごとの輪郭通りの開孔部分の形状となされた、開孔率の異なる複数種類の付着量調整部を有するマスキング板を被化粧面にあてがい、該付着量調整部を介して被化粧面に化粧用塗料を塗布し、被化粧面の複数区画ごとに塗料の付着量を変え、濃淡が生じるようにしたことを特徴とする化粧材の製造方法。
【請求項２】
基材がコンクリートブロックであることを特徴とする請求項１に記載の化粧材の製造方法。
【請求項３】
付着量調整部を介して被化粧面に行う化粧用塗料の塗布を、リシン塗料の吹き付け塗装により行うことを特徴とする請求項２に記載の化粧材の製造方法。
【請求項４】
請求項１〜３のいずれか１項に記載された化粧材の製造方法によって製造されたことを特徴とする化粧材。
【発明の詳細な説明】
【０００１】
【発明の属する技術分野】
本発明は、塀やアプローチ等に使用される化粧材およびその製造方法に関するものである。
【０００２】
【従来の技術】
従来、住宅回りの塀等にコンクリートブロックが広く使用されている。しかしながらかかるコンクリートブロックはコンクリートの外観のままであり、単調で装飾性に乏しいという欠点がある。また、単調さを少しでも解消すべくコンクリートブロックの表面をショットブラスト加工やスプリット加工等により多少なりともブロックの表面に凹凸による装飾が施されることもあるが、表面の色彩はコンクリートのままであり、外観はさほど向上しない。また木毛セメント板、合板等をモルタル仕上げし、さらにリシン吹き付けしたものもあるが、表面の色彩はリシンのままで装飾性に乏しい。
【０００３】
【発明が解決しようとする課題】
上記の如きコンクリートブロック等基材の装飾性に乏しいという欠点に鑑み、本出願人はブロック等の基材表面に複数種類のマスキング板をあてがって塗装を施すことにより、上記欠点の解消に成功し本発明を完成するにいたったのである。
【０００４】
【課題を解決するための手段】
すなわち本発明に係る化粧材の製造方法は、基材の被化粧面を溝により複数区画に分け、該複数区画ごとの輪郭通りの開孔部分の形状となされた、開孔率の異なる複数種類の付着量調整部を有するマスキング板を被化粧面にあてがい、該付着量調整部を介して被化粧面に化粧用塗料を塗布し、被化粧面の複数区画ごとに塗料の付着量を変え、濃淡が生じるようにしたことを特徴とするものである。
【０００５】
また本発明に係る化粧材の製造方法は、前記発明において、基材がコンクリートブロックであることを特徴とするものである。
【０００６】
さらにまた本発明に係る化粧材の製造方法は、前記発明において、付着量調整部を介して被化粧面に行う化粧用塗料の塗布を、リシン塗料の吹き付け塗装により行うことを特徴とするものである。
【０００７】
次に本発明に係る化粧材は、前記発明に係る化粧材の製造方法によって製造されたことを特徴とするものである。
【０００８】
【発明の実施の形態】
以下図面を参照しながら本発明化粧材について詳述する。
図面において１は基材である。該基材１としてコンクリートブロックがもっとも普遍的に使用され、該コンクリートブロックとしては通常の積み上げ用ブロック、擁壁用ブロック、法面用ブロックの他、公園等で使用されるコンクリート製のベンチや植木鉢等であってもよい。またコンクリートブロック以外には木毛セメント板、モルタル仕上げした合板、石膏ボード等でもよい。
【０００９】
２は被化粧面であって、基材１の人目に触れ、塗装による化粧が施される部分であり、通常は基材１の表の一面または表裏の二面が対象であるが、さらに頂部等他の部位であってもよい。
【００１０】
３は溝であって、被化粧面２を複数の区画２１に分割するものである。該溝３は等間隔で設けられてもよいし、不等間隔でもよく、また平行でなくてもよい。さらに被化粧面２の複数の区画２１が不規則な石積み状となるよう曲折したり交差した溝３であってもよい。
【００１１】
濃淡模様は被化粧面２への塗料付着量の多少により濃淡が生じるようになされ、この濃淡模様により被化粧面２が化粧面となされるのである。かかる濃淡模様としてリシンの吹き付けが適しているが、基材１への密着性がよいものであれば無機塗料であっても有機塗料であってもよい。
【００１２】
なお本形態においては、被化粧面２が複数の区画２１に分割されており、隣接する区画２１ごとに塗膜の付着量が異なるようにし、隣接する区画２１ごとに濃淡が生じるようになされている。
【００１３】
被化粧面２への塗料の付着量を増減する手段として、マスキング板５が用いられている。該マスキング板５は、多数の透孔が穿設され、開孔率が異なる複数種類の付着量調整部５１、５２、５３が形成された鋼板であるが、他にアルミ等の金属板、合成樹脂板等であってもよい。
【００１４】
マスキング板５の例として例えば図３の場合、付着量調整部５１は方形状に打ち抜かれており、付着量調整部５２は直径５ｍｍの透孔が６ｍｍ間隔で穿設されており、付着量調整部５３は直径３ｍｍの透孔が４ｍｍ間隔で穿設されており、この３パターンの付着量調整部が二系列繰り返して形成されている。
【００１５】
なお図３のマスキング板５は三種類の付着量調整部５１、５２、５３が形成されているが、二種類であっても四種類以上であってもかまわない。また別個の付着量調整部５１を有する数枚のマスキング板を接続一体化して大きな一枚のマスキング板５としてもよい。さらに基材１の被化粧面２が溝３により複数の区画２１に分割され、付着量調整部も該複数の区画２１に合致するようになされている。
【００１６】
また、マスキング板５は鋼、アルミ等の金属板や合成樹脂板等の板体に複数の付着量調整部が打ち抜き等により形成されているが、目の大きさの異なる金網、エキスパンドメタル等であってもよい。
【００１７】
【実施例】
マスキング板５として厚さ１．５ｍｍの鋼板を用いた。該マスキング板５には六箇所に付着量調整部を形成するようにし、一箇所目は１９２ｍｍ×７５．３ｍｍの方形の打ち抜きとして付着量調整部５１とした。隣接して直径５ｍｍの透孔を縦方向に１２列配置し、各列に３１個穿設して付着量調整部５２とした。次いで直径３ｍｍの透孔を縦方向に１８列配置し、各列に４７個穿設して付着量調整部５３とした。この三種類の付着量調整部５１、５２、５３を再度繰り返して形成し、六箇所の付着量調整部を有するマスキング板５とした。
【００１８】
また基材１として、高さ１９０ｍｍ、横幅４９８ｍｍ、厚さ１２０ｍｍのコンクリートブロックの表面に深さ１０ｍｍ、幅８ｍｍの溝３を等間隔で５本形成して表面の被化粧面を同形の６個の区画に区分けしたものを使用した。
【００１９】
該コンクリートブロック１の６個の区画に区分けされた被化粧面に上記マスキング板５をあてがい、リシン吹き付け塗装を行い、三種類の付着量調整部５１、５２、５３により塗料の付着量を変え、濃淡模様を生じさせた。なおリシン塗料としては水性アクリルエマルジョンをベースにした、粘度１２，０００ｃｐｓのものをエアスプレーガンで厚さ約０．５ｍｍとなるよう吹き付けた。吹き付けられたリシン塗料は付着量調整部５１部分での付着量を重量比で１００％とすると、付着量調整部５２の部分では５３％となり、付着量調整部５３の部分では４１％となった。
【００２０】
【発明の効果】
以上詳述した如く、本発明に係る化粧材の製造方法により製造された化粧材は、基材の被化粧面に、塗料の付着量の差による濃淡模様が施されてなるので、装飾性に富み、家屋の塀やアプローチ、公園まわりのブロック積み等に好適に使用される。
【００２１】
また本発明に係る化粧材の製造方法により製造された化粧材において、基材がコンクリートブロックとなされた場合は耐久性に富むにもかかわらず、単調な色彩であったコンクリートブロックが装飾性に優れ、付加価値の高い化粧材として使用される。
【００２２】
また本発明に係る化粧材の製造方法により製造された化粧材は、基材の被化粧面が溝により複数区画に分けられ、各区画ごとに塗料の付着量が異なるようになされて、濃淡模様が施されているので、隣接する区画ごとで濃淡が異なり、あたかもタイル貼りのような外観となり、一層装飾性に富んだ外観が得られる。
【００２３】
さらに本発明に係る化粧材の製造方法により製造された化粧材において、濃淡模様がリシン塗料の吹き付け塗装により形成された場合は、該塗料と基材との密着性が向上し、かつ褪色等のおそれもなく、長期にわたって使用することができる。
【００２４】
また本発明化粧材の製造方法は、基材の被化粧面を溝により複数区画に分け、該複数区画ごとの輪郭通りの開孔部分の形状となされた、開孔率の異なる複数種類の付着量調整部を有するマスキング板を被化粧面にあてがい、該付着量調整部を介して被化粧面に化粧用塗料を塗布し、被化粧面の複数区画ごとに塗料の付着量を変え、濃淡が生じるようにするので、あたかもタイル貼りのような一層装飾性に富んだ外観の化粧材を容易に製造することができる。
【図面の簡単な説明】
【図１】  本発明化粧材の一例の正面図である。
【図２】  本発明化粧材の一例の平面図である。
【図３】  本発明化粧材の製造に使用されるマスキング板の一例の正面図である。
【符号の説明】
１    基材
２    被化粧面
２１  区画
３    溝
５    マスキング板
５１  付着量調整部
５２  付着量調整部
５３  付着量調整部
【図１】
0004394200.tif 000002
【図２】
0004394200.tif 000003
【図３】
0004394200.tif 000004